(57)【要約】  エアバッグに乗員が当たった際に乗員がエアバッグから反力を受けることができるエアバッグ装置を提供する。車幅方向に並んだ二つのシート（２０Ｌ、２０Ｒ、２１Ｌ、２１Ｒ）の間で膨張して乗員（Ｐ）を保護するエアバッグ装置（１０A〜１０Ｂ）であって、インフレータ（１２）と折り畳まれたエアバッグ（１１）とを備え、側面衝突時にインフレータ（１２）からガスが噴射されるとエアバッグ（１１）は膨張して車室内装（３５）に当たることで、エアバッグ（１１）に乗員（Ｐ）の身体が当たった際のエアバッグ（１１）の移動が抑制される。
2009035114.tif 000002
【特許請求の範囲】
【請求項１】
車幅方向に並んだ二つのシートの間で膨張して乗員を保護するエアバッグ装置であって、
インフレータと折り畳まれたエアバッグとを備え、
側面衝突時に上記インフレータからガスが噴射されると上記エアバッグは膨張して車室内装に当たることで、上記エアバッグに乗員の身体が当たった際の当該エアバッグの移動が抑制される、エアバッグ装置。
【請求項２】
前記エアバッグは膨らみ代を有し、
上記膨らみ代が前記車室内装に当たる、請求項１に記載のエアバッグ装置。
【請求項３】
前記インフレータと前記エアバッグとが、シートバックにおける車幅方向内側に備えられていて、
前記エアバッグは、前記インフレータからガス噴射によって膨張した際に上端が天井に当たるように構成されている、請求項１に記載のエアバッグ装置。
【請求項４】
前記エアバッグは、前記天井よりも高い位置まで膨張できるように上端に膨らみ代を有する、請求項３に記載のエアバッグ装置。
【請求項５】
シートバックがリクライニング状態に設定されていても、前記エアバッグが膨張した際に前記天井に当たるように前記上端に膨らみ代を有する、請求項３に記載のエアバッグ装置。
【請求項６】
前記シートがいずれの前後位置に設定されていても、前記エアバッグが膨張した際に天井に当たるように前記上端に膨らみ代を有する、請求項３に記載のエアバッグ装置。
【請求項７】
前記インフレータと前記エアバッグとが、車室天井における車幅方向中央に格納されており、
前記エアバッグは、前記インフレータからのガス噴射によって膨張した際に、その下端がフロアカーペット、フロアに設置したコンソール及びシートクッションの何れかに当たる、請求項１に記載のエアバッグ装置。
【請求項８】
前記エアバッグは前記下端に膨らみ代を有する、請求項７に記載のエアバッグ装置。
【請求項９】
前記エアバッグは、膨張時に、前後に並んだ複数列のシートに亘って膨張するように形成されている、請求項７又は８に記載のエアバッグ装置。
【請求項１０】
前記エアバッグが、車両下方側から車両上方側へ向けて展開する、請求項１又は２に記載のエアバッグ装置。
【請求項１１】
前記エアバッグが、車両上方側から車両下方側へ向けて展開する、請求項１又は２に記載のエアバッグ装置。
【請求項１２】
前記エアバッグが、車両後方側から車両前方側へ向けて展開する、請求項１又は２に記載のエアバッグ装置。
【請求項１３】
前記エアバッグが、車両前方側から車両後方側へ向けて展開する、請求項１又は２に記載のエアバッグ装置。
【発明の詳細な説明】
【技術分野】
【０００１】
本発明は自動車の乗員を保護するためのエアバッグ装置に係り、特に、側面衝突時の反動によって衝突反対側のシートに着座した乗員の身体が衝突側へ移動するのを規制するためのエアバッグ装置に関するものである。
【背景技術】
【０００２】
自動車の前面衝突時の乗員に対する衝撃を緩和するための保護装置として、エアバッグ装置が広く普及している。従来のエアバッグ装置は、乗員の前方に位置するステアリング装置内やインストルメントパネル内に取り付けられ、自動車の前面衝突時に、運転席，助手席の前側でエアバッグを膨張させることによって、運転席，助手席に着座している乗員の前方への移動を規制する。これにより、自動車の前面衝突時において運転席，助手席の乗員が有効に保護される。【０００３】
近年では、自動車の側面に衝撃を受けた時における乗員保護も重要視されており、所謂サイドエアバッグ装置やカーテンシールドエアバッグ装置が車両に搭載されている。具体的には、例えば図１０に示すように、自動車１の助手席側において、カーテンシールドエアバッグ装置２が、フロントドア１ａの上部のガラスの内側付近に膨張するように配置されており、またサイドエアバッグ装置３は、フロントドア１ａの下部の内側付近に膨張するように配置されている。図１０では、カーテンシールドエアバッグ装置２及びサイドエアバッグ装置３は助手席側のみ図示されているが、実際には運転席側にも設置されている。【０００４】
図１０に矢印Ｘで示すように、他の車両４が側方から衝突してきたとき、カーテンシールドエアバッグ装置２及びサイドエアバッグ装置３がそれぞれフロントドア１ａの内側付近、即ち助手席の外側領域に膨張して、助手席の乗員の身体が直接にフロントドア１ａに接触しないように保護される。【０００５】
これに対して、特許文献１には、車室天井内に取り付けられていて自動車の前面衝突時に下方に向かって乗員の前側に膨張するようにしたエアバッグ装置が開示されている。
特許文献２には、運転席と助手席との間のコンソール内に取り付けられていて、自動車の側面衝突時等に運転席のシートバックと助手席のシートバックとの間で膨張するようにしたエアバッグ装置が開示されている。【０００６】
特許文献３には、例えば助手席前方のインストルメントパネル内に取り付けられ、自動車の前面衝突時にエアバッグ袋体が助手席の乗員の前側で膨張すると共に、天井付近に設けられたパネル部材が下方に回動し、車室内側に膨張したエアバッグ袋体の一部が乗員の頭部と天井との間で広がらないよう天井付近における後方への移動を規制するエアバッグ装置が開示されている。【０００７】
特許文献４には、例えば助手席前方のインストルメントパネル内に取り付けられ、自動車の前面衝突時に左右に分割されたメインエアバッグ袋体が助手席の乗員の前側に膨張すると共に、助手席の天井付近に設けられた天井エアバッグ袋体が下方に向かって膨張し、車室内側に膨張したメインエアバッグ袋体の分割された左右部分の間の空間部に係合して、メインエアバッグの横方向のずれを規制してメインエアバッグが予期しない方向に膨張しないようにしたエアバッグ装置が開示されている。【０００８】
しかしながら、図１０に示すような側面衝突時に、側面衝突された側とは反対側の乗員、図示の場合、運転席側の乗員が側面衝突の衝撃によって、反動により矢印Ａで示すように衝突側に向かって急激に移動する虞がある。【０００９】
これに対して、特許文献１によるエアバッグ装置では、前面衝突時に後席の乗員を保護するように天井から乗員の前側にエアバッグが膨張するが、側面衝突時に乗員の衝突側へ向けての移動を規制するようには構成されていない。【００１０】
さらに、特許文献２及び特許文献３によるエアバッグ装置においても、前面衝突時における乗員を保護することを目的としており、側面衝突時に乗員の衝突側へ向けての移動を抑制するようには構成されていない。【００１１】
そこで近年、二つのシートの間にエアバッグを膨張させるセンターエアバッグ装置が提案されている。【００１２】
特許文献４によるエアバッグ装置では、側面衝突時等に運転席と助手席のシートバックの間で膨張することで、衝撃荷重により乗員自身が非衝撃感知側へ倒れて例えば隣りの乗員と接触することを防いでいる。
特許文献５，６にも、エアバッグが側面衝突時に運転席と助手席のシートバックの間で膨張するセンターエアバッグ装置が開示されている。
【特許文献１】特開２０００−１８５６１８号公報
【特許文献２】特開２００５−０６７２７２号公報
【特許文献３】特開２００５−１４５２２５号公報
【特許文献４】特開２００４−２１７１０９号公報
【特許文献５】特願２００８−１１４７１３号公報
【特許文献６】特開平７−２６７０３７号公報
【発明の開示】
【発明が解決しようとする課題】
【００１３】
ところで、エアバッグでは、乗員の身体の移動を規制するために、乗員の身体がエアバッグに当たった際にエアバッグ自体から乗員が反力を受けることが望ましい。
しかしながら、特許文献６のように、シート間で膨張するエアバッグにおいては、配置箇所が車室中央であることから、膨張したエアバッグが左右へ揺動しないようにこれを受け止めるための構造体が存在しないため、乗員の身体に対して反力を与えることができないおそれがある。【００１４】
本発明は以上の点に鑑み、側面衝突時に、側面衝突の衝撃による乗員の衝突側への移動を抑制するためにエアバッグを膨張させ、このエアバッグに乗員の身体が当たった際に乗員がエアバッグから反力を受けることができるエアバッグ装置を提供することを目的としている。
【課題を解決するための手段】
【００１５】
上記目的を達成するために、本発明は、乗員の車幅方向内側に膨張して、側面衝突時に衝突反対側のシートに着座した乗員が衝突側へ移動するのを規制するためのエアバック装置であって、インフレータと折り畳まれたエアバッグとを備え、上記エアバッグが上記インフレータからのガス噴射によって膨張した際、当該エアバッグが車室内装に当たることを特徴としている。本発明における車室内装には、車室空間を画する天井，フロア，フロントガラスに限らず、フロア上に敷設したフロアカーペット、フロア上に設置したコンソールやシートのシートクッション，シートバッグやアームレスト等を含む。
【発明の効果】
【００１６】
本発明によれば、車幅方向に並んだ二つのシート間の領域でエアバッグを膨張させ、このエアバッグを天井，フロア，フロアに設置したシートやコンソール等の車室内装に当てることで、当該エアバッグに乗員の身体が勢い良く当たってもエアバッグ自体の移動が車室内装との摩擦によって抑制される。即ち、乗員がエアバッグに勢い良く当たってこれを押圧した際に、それに伴うエアバッグの移動を抑制できる。これにより乗員に反力を与えることができ、乗員を効果的に保護することができる。
【図面の簡単な説明】
【００１７】
【図１】本発明の第１実施形態に係るエアバッグ装置の膨出状態を示す図である。
【図２】図１の左側シートのシートバック右側部にエアバッグを収容した様子を示す断面図である。
【図３】図１の概略側面図である。
【図４】第１実施形態に係るエアバッグ装置において、乗員の頭部を効果的に保護するためのエアバッグの構成を説明するための図である。
【図５】第１実施形態に係るエアバッグ装置において、天井との摩擦力を増加させるためのエアバッグの構成を説明するための図である。
【図６】本発明の第２実施形態に係るエアバッグ装置を説明するための図である。
【図７】本発明の第３実施形態に係るエアバッグ装置の使用状態を示す図である。
【図８】図７のエアバッグ装置の概略側面図である。
【図９】図７のエアバッグ装置の概略断面図である。
【図１０】従来のエアバッグ装置の一例の構成を示す概略背面図である。
【符号の説明】
【００１８】
１０，１０Ａ，１０Ｂ  エアバッグ装置
１１    エアバッグ
１１ａ  エアバッグの上端
１１ｂ  エアバッグの下端
１１ｃ  エアバッグの側面
１２    インフレータ
１３    ケース
２０Ｌ  前席（左側シート）
２０Ｒ  前席（右側シート）
２１Ｌ  後席（左側シート）
２１Ｌ  後席（右側シート）
２５    フレーム
２６    パッド
２６Ａ  薄肉部
２７    表皮材
２７Ａ  縫い合わせ部
３０    車両
３５    天井
３６    車室下側
４０    車両
５０Ｌ  シート
５１    シートバック
５２    シートクッション
１１０  パネル
１１１  エアバッグドア
１２１  フック
１３０  リテーナ
１３１  ドア支持部
１３２  側板部
１３３  周辺支持部
２１０  シートバック側部
【発明を実施するための最良の形態】
【００１９】
以下、図面に示した幾つかの実施形態に沿って本発明を詳細に説明する。図中のＦｒは車両前方を、Ｕｐは車両上方を、ＬＨは車幅方向であって左方を示す。
〔第１実施形態〕
図１は本発明の第１実施形態に係るエアバッグ装置１０の使用状態を示す図であり、車両の前方から後方を見た正面図である。エアバッグ装置１０は、車幅方向に二つのシート２０Ｌ，２０Ｒを並設した車両３０に対して、その側方から他の車両４０が衝突した際、図示例では車両右側面に他の車両４０が衝突した際、衝突反対側である左側のシート２０Ｌに着座した乗員Ｐが衝突側である右側に動くのを規制するために、当該乗員Ｐの右側でエアバッグ１１を膨張させるようになっている。【００２０】
このため、図示例では、上記エアバッグ装置１０は、左側のシート２０Ｌにおいて、シートバックの車幅方向内側、すなわち右側のシート２０Ｒに対向する側のシートバック右側部２１０に配設されている。図２は左側シート２０Ｌのシートバック側部２１０の断面構成例であり、エアバッグ装置１０は、左側シート２０Ｌの右側部内に設けたフレーム２５に取り付けられている。このエアバッグ装置１０は、例えば、シートバックを構成するフレーム２５に固定されたインフレータ１２と、このインフレータ１２から噴射されるガスによって膨張するエアバッグ１１と、を備えている。エアバッグ１１は、図２に示すように折り畳まれた状態でシートバック内のケース１３に収容されている。インフレータ１２とエアバッグ１１を収容したケース１３はパッド２６で覆われ、さらにそのパッド２６が表皮材２７で覆われている。インフレータ１２からエアバッグ１１内にガスが噴射された際に、エアバッグ１１の膨張を容易にするために、例えばパッド２６はエアバッグ前方の部位が他のパッド部位より厚みが薄い薄肉部２６Ａとして形成され、さらにこの薄肉部２６Ａの前方には表皮材２７の縫い合わせ部２７Ａが配置される。そのため、エアバッグ１１が膨張する過程で、エアバッグ１１の膨張圧力により薄肉部２６Ａ及び縫い合わせ部２７Ａが破断し、拡開した穴からエアバッグ１１が車室内に広がる。【００２１】
エアバッグ１１は織布で袋状に形成されている。図３は図１の側面図であり、エアバッグ１１は膨張時には左側のシート２０Ｌとこれに隣接する右側のシート２０Ｒとの間で乗員Ｐの側方で広がる。このエアバッグ１１は、膨張時に乗員Ｐの腰部から腹部，胸部，肩部及び頭部に至る広い領域に対向する面１１Sを有する。
さらに、本実施形態に係るエアバッグ１１は、膨張時に、エアバッグ上端部が天井３５に当たるように構成されている。エアバッグ１１は、シートバック側部２１０内から車室Ｒ内に膨張した状態で、エアバッグ上端部が天井３５に当たって天井３５を押圧するようにその高さＨ１が設定されており、好ましくは、図３において斜線を施して示すように、天井３５がなければ前記天井３５よりもαｍｍ程度高い位置まで、例えば５〜３０ｃｍ程度の高さＨ２まで膨張可能に設定される。すなわち、エアバッグ１１が膨張した際に天井３５に一定の面積を以て押しつけるようにエアバッグ１１は上端に膨らみ代を有する。このようにエアバッグ１１における車室内装と当接する部位は、表面の摩擦係数が高くなるよう、例えば粗面処理が施されたり、エアバッグの他の部位と異なり摩擦係数の高い材質で構成されてもよい。また、エアバッグ１１における車室内装と当接する部位は、他の部分と比較して、剛性を上げるように、例えば布地を２枚重ねて構成されてもよい。【００２２】
このように構成されたエアバッグ装置１０を左側シート２０Ｌのシートバック右側に備えた車両３０に対して、右側の車両側方から他の車両４０が衝突した場合、その衝撃をセンサー（図示省略）が検出し、インフレータ１２が瞬時にガスを噴射する。これにより、図１に示すように、エアバッグ１１が乗員Ｐの側方で瞬時に膨張する。このとき、エアバッグ１１の上端部は一定の面積を以て天井３５に押しつけられる。【００２３】
このように、本発明の第１実施形態に係るエアバッグ装置１０によれば、側面衝突時に、衝突の衝撃によって乗員Ｐがエアバッグ１１に激しくぶつかった場合でも、エアバッグ１１の上端部が天井３５に高圧力で当接しているため、天井３５との摩擦によってエアバッグ自体の衝突側への移動が抑制される。よって、乗員に反力を与えて、乗員Ｐを保護できる。膨張したエアバッグ１１は、図４に示すように、シート２０Ｌのシートバック側部２１０において上下に離れた２点ａ，ｂの間で支持固定され、さらにその上端部が天井３５に接する１点ｃで支持固定されているので、これらａ−ｂ−ｃを結んだ三角の領域が膨張したエアバッグ１１の側壁面領域として作用することになる。エアバッグの側壁面がこのように乗員Ｐの頭部の側方に配置されることで、頭部の側方への移動に対して高い反力を乗員Ｐに与えることができる。これにより、乗員Ｐの頭部から腰部に至る上半身を確実に保護できる。【００２４】
前述したように、エアバッグ１１の膨張時の全高が、実質的に天井３５よりも高い位置まで膨張可能に構成されている場合には、実際には天井３５があるためエアバッグ１１の上端部が確実に天井３５に広い範囲で密着することで、より一層エアバッグ１１の移動を抑制できる。なお、図５に示すように、膨張時にエアバッグ１１の上端部が天井３５に当たる前後領域幅Ｌを、さらにΔＬ程度長くすると、エアバッグ１１が天井３５から受ける摩擦が大きくなり、より一層乗員Ｐの衝接によるエアバッグ１１の移動を抑制できる。【００２５】
〔第２実施形態〕
図６は本発明の第２実施形態に係るエアバッグ装置１０Ａの使用状態を示す図である。
このエアバッグ装置１０Ａは、第１実施形態に係るエアバッグ装置１０と同様に、エアバッグ１１と、インフレータ１２とを備える点では同様であるが、スライド機構及び／又はリクライニング機構を備えたシート５０Ｌに着座した乗員Ｐに対応するように構成されている。【００２６】
先ず、スライド機構に対応したエアバッグ装置１０Ａについて図６（Ａ）に基づいて説明する。
ここで、シートバック５１が起立した状態、具体的には、シートクッション５２に対してシートバック５１が成す角度θが例えば１１５度の状態で、使用者がシート５０Ｌをスライド機構によって矢印Ａで示す前又は後方向に移動させて位置を変える場合を説明する。エアバッグ１１は、シート５０Ｌの前後移動可能な全範囲内における任意のシート位置で、矢印Ａ１で示すように膨張した場合であっても、エアバッグ１１の上端部が天井３５に当たるように構成される。即ち、シートバック５１が傾斜角度１１５度の位置を基本姿勢と仮定し、この基本姿勢でエアバッグ１１を膨張させた際に、天井３５がなければエアバッグ１１がさらに天井３５よりも上方へ張り出すことができるように構成する。ここで、図５に斜線で示す領域Ａ２は、天井３５がなければエアバッグ１１が天井よりさらに上方に張り出すことができる膨張可能領域である。この膨張可能領域の高さをラップ量ＨＬと称す。第２の実施形態におけるエアバッグ１１では、ラップ量ＨＬは、シート５０Ｌが前後移動可能な全範囲で、エアバッグ１１の上端部が天井３５に当たるように設定されている。すなわち、シートが最前部又は最後部のいずれの位置に設定されていても、エアバッグ１１が膨張した際に天井３５に届いて当接するように上端に膨らみ代を有する。【００２７】
次に、リクライニング機構に対応したエアバッグ装置１０Ａについて図６（Ｂ）に基づいて説明する。
シートバック５１をリクライニング機構によって矢印Ｂで示す方向に揺動させてシートクッション５２に対する角度θを変更させ、シートバック５１の傾斜角度θが１３５＜θ＜１６５内の任意の角度にあるリクライニング状態で、矢印Ｂ１で示すようにエアバッグ１１が膨張した場合であっても、エアバッグ１１はその上端部が天井３５に当たるように構成される。リクライニング機構を介してシートバック５１の傾斜角度を変えた場合、シートバック５１が何れの角度位置（１３５＜θ＜１６５）にあってもエアバッグ１１の上端部が天井３５に当たるように、上記ラップ量ＨＬが設定される。即ち、シートバック５１がリクライニング状態に設定されていても、エアバッグ１１が膨張した際に天井３５に対して、好ましくは点状に接するのではなく一定の面接を以て当たるようにエアバッグ１１は上端に膨らみ代を有する。【００２８】
このように、本第２実施形態に係るエアバッグ装置１０Ａによれば、シート５０Ｌの前後位置を変えた状態でも、また、シートをリクライニングした状態でも、側面衝突の際にエアバッグ１１が膨張してその上端部が確実に天井３５に接して、エアバッグ１１の膨出出口と天井との間で張力により固定支持されていることで、第１実施形態と同様に、乗員Ｐに対して反力を与えることができる。【００２９】
〔第３実施形態〕
図７及び図８は、本発明によるエアバッグ装置の第３の実施形態の膨張状態を示している。このエアバッグ装置１０Ｂは、車幅方向及び前後方向に並んだ二列のシートのそれぞれに乗員が乗り込んでいる場合に特に有効に機能するように構成されている。即ち、前列の左右のシート２０Ｌ，２０Ｒ及び後列の左右のシート２１Ｌ，２１Ｒを並設した一般的な乗用車両３０に例えば４名の乗員が座っているとき、その側方から他の車両４０が衝突した際に、図示例では車両右側面に他の車両４０が衝突した際に、衝突反対側の前部シート２０Ｌと後部シート２１Ｌにそれぞれ着座した乗員Ｐ２，Ｐ３の身体が衝突側に移動することを規制するために、二つのシート２０Ｌ，２０Ｒ及び２０Ｌ，２１Ｒの間の領域にエアバッグ１１を膨張させるものである。【００３０】
このため、左右二つのフロントシート２０Ｌ，２０Ｒ及び左右二つのリアシート２１Ｌ，２１Ｒのシートバック間の上方において、車室天井内にエアバッグ装置１０Ｂが備えられている。エアバッグ装置１０Ｂは、上述したエアバッグ１１を膨張させるために、エアバッグ１１内にガスを噴射するインフレータ１２を備えている。【００３１】
このエアバッグ１１は、衝突前の通常は折り畳まれた状態でケース１３内に収容されており、このケース１３が、例えば二つのフロントシート２０Ｌ，２０Ｒ及びリアシート２１Ｌ，２１Ｒのシートバック間の直上で車室天井３５内に収容されて固定保持されている。インフレータ１２も同様に上記ケース１３内に配置される。【００３２】
具体的には、エアバッグ装置１０Ｂは、図９に示すように、車室天井３５を構成するパネル１１０の裏側に配設されたリインフォース（図示省略）等の車体構成部材に支持されており、エアバッグ装置１０Ｂはエアバッグ１１、インフレータ１２をケース（筐体）１３に内包して構成されている。【００３３】
エアバッグ１１は、ガス流入口を備えた袋状として、ポリエステル糸やポリアミド糸からなる織布を縫合して構成されている。
インフレータ１２は、エアバッグ１１を膨張させるためのガスを吐出させるガス吐出口（図示省略）を有する。【００３４】
パネル１１０には、二つの長方形状のエアバッグドア１１１，１１１が隣接して形成されていて、それらの境界を境に両エアバッグドア１１１，１１１が両開きで開くように構成されている。
パネル１１０には、図９に示すように、二つのエアバッグドア１１１，１１１の境界上及びその輪郭に沿って点線或いは直線状の切れ込みが形成されている。なお、二つのエアバッグドア１１１，１１１の境界の切れ込みに符号１１１Ａを付し、その他の切れ込みに符号１１１Ｂを付す。これらの切れ込み１１１Ａ，１１１Ｂは車両前後方向に沿ってエアバッグドア１１１の全長に亙って形成されている。【００３５】
天井を構成する上記パネル１１０は例えばポリプロピレン（ＰＰ）等から所要形状に形成された合成樹脂製のパネル基材として構成されている。なお、パネル１１０はこのパネル基材の外面に表皮材を被着して構成されてもよい。【００３６】
パネル１１０の所定位置に形成されたエアバッグドア１１１及びその周辺１１２は、パネルの裏側に配設したエアバッグ装置に係止されるリテーナ１３０で支持されている。【００３７】
リテーナ１３０は、エアバッグ展開時にエアバッグドア１１１の飛散等を防止し得るよう、エアバッグ装置に連結されている。このリテーナ１３０は、図９に示すように、ドア支持部１３１と、ドア支持部１３１の基端部から車両内装部材の奧側へエアバッグ装置の四方を囲むように略板枠状に立設された側板部１３２と、周辺支持部１３３と、を備えている。【００３８】
ドア支持部１３１は、エアバッグドア１１１を支持するものであり、ドア開時にエアバッグドア１１１が飛散することを防止するためにエアバッグドア１１１に固定されている。図９に示すように、ドア支持部１３１は二つのエアバッグドア１１１，１１１の境界の切れ込み１１１Ａに沿った領域で途切れていて、各エアバッグドア１１１をそれぞれ支持するように二つのドア支持部１３１，１３１がパネル１１０の裏面に固定されている。【００３９】
側板部１３２は、エアバッグドア１１１の裏面に密着したドア支持部１３１の基端部からパネル１１０の裏側のエアバッグ装置へ向けて立設して形成された板状のパネル部材であり、この側板部１３２の先端部に、図９に示すように、例えばエアバッグ装置のフック１２１を係止している。なお、この側板部１３２は、エアバッグ膨張時にエアバッグ（図示省略）の展開方向をガイドする役割も担っている。【００４０】
周辺支持部１３３は、エアバッグドア周辺のパネル１１０を支持するものであり、当該周辺のパネルの裏面に密着するように固定されている。【００４１】
リテーナ１３０は樹脂成形によって一体に形成される。この樹脂材料としては、オレフィン系の熱可塑性エラストマー（Ｔｈｅｒｍｏ  Ｐｌａｓｔｉｃ  Ｏｌｅｆｉｎ，所謂ＴＰＯ）を利用することができるが、他の材料を用いても良い。また、リテーナ１３０は、樹脂材料に限らず、スチール等の材料を用いてもよい。【００４２】
このように構成されたエアバッグ装置１０Ｂによれば、側面衝突時には、自動車の車体に取り付けられたセンサー（図示せず）が衝撃を検出し、その検出をトリガーとしてインフレータ１２がエアバッグ１１内にガスを噴射することによりエアバッグ１１が膨張し、下方に向かって膨張する。【００４３】
次に、エアバッグ１１が最も膨張したとき（以下、膨張時という。）の形状について説明する。
図７及び図８に示すように、エアバッグ１１は織布で袋状に形成されており、その上端１１ａが前述したようにケース１３内に取り付けられていると共に、膨張時にその下端１１ｂが車室下側３６に当接する。なお、エアバッグ１１の下端１１ｂが膨張時に当接する車室下側３６は、図示の場合にはセンターコンソールであるが、自動車の構造によっては車室フロアカーペット，シートクッション等の車室内装であってもよい。【００４４】
ここで、エアバッグ１１の膨張時にエアバッグ１１の下端１１ｂが所定の圧力をもって車室下側３６に当接するように、エアバッグ１１は、その上下方向の最大膨張距離Ｈ２’が車室天井３５と車室下側３６との距離（車室高さＨ１’）を越えて設定されている。即ち、膨張時にはエアバッグ１１の下端１１ｂに膨らみ代α’を有するように形成されている。これにより膨張時に、エアバッグ１１は車室下側３６に当接した後も最大膨張距離Ｈ２’まで膨張しようとして、所定の押圧力で車室下側３６に当接すると共に、下端１１ｂが車室下側３６に接する面積Ｓ１が広くなり強い摩擦力を生ずる。【００４５】
また、エアバッグ１１は、図８に示すように車室天井３５内におけるケース１３の取付位置から下方に向かって膨張し、車両前後方向に関して前席２０Ｌ，２０Ｒ及び後席２１Ｌ，２１Ｒの側方に対向するようになっている。そのため、側方から見たとき、膨張状態のエアバッグ１１は、前席２０Ｌ，２０Ｒ及び後席２１Ｌ，２１Ｒに着座している乗員の身体を車幅方向の中心側からカバーすることになる。【００４６】
本発明の実施形態によるエアバッグ装置１０Ｂは以上のように構成されており、通常は、即ちエアバッグ１１の非膨張時には、エアバッグ１１はケース１３内に格納されている。この状態から、例えば図７に矢印Ｘで示すように他の車両４０が右側方から衝突してきたとき、図示しないセンサーがその衝撃を検出し、この検出をトリガーとしてインフレータ１２がエアバッグ１１内にガスを噴射する。これにより、図７及び図８に示すように、エアバッグ１１が膨張して、車室天井３５内から二つのシート２０Ｌ，２０Ｒ及び２１Ｌ，２１Ｒの間に膨張する。このとき、エアバッグ１１は、その下端１１ｂが前述した膨らみ代α’により車室下側３６に対して確実に当接すると共に摩擦を生ずる。【００４７】
そのため、図７において、側面衝突された側とは反対側（衝突反対側）の乗員、即ち助手席側のシート２０Ｌ，２１Ｌに着座した乗員Ｐ２，Ｐ３が、側面衝突の衝撃によって矢印Ａで示すように衝突側に向かう荷重を受けたとしても、当該乗員Ｐ２，Ｐ３の身体が既に膨張しているエアバッグ１１に当たることにより、エアバッグ１１が当該乗員Ｐ２，Ｐ３の身体に対して反力を与える。従って、当該乗員Ｐ２，Ｐ３の身体の衝突側への移動が確実に拘束される。【００４８】
ここで、膨張時にはエアバッグ１１が図８に示すように前後方向に関して前席２０Ｌ，２０Ｒから後席２１Ｌ，２１Ｒまでの範囲に亘って膨張しているので、側面衝突時に衝突反対側の乗員Ｐ２，Ｐ３の身体が膨張したエアバッグ１１の側面１１ｃに当たる際に、前席２０Ｌの乗員Ｐ２の身体も後席２１Ｌの乗員Ｐ３の身体も、一つのエアバッグ１１の側面１１ｃに確実に当たることになる。これにより、例えばシートを調整してシート２０Ｌ，２１Ｌが前後に多少移動したとしても、側面衝突時に衝突反対側の乗員Ｐ２，Ｐ３の身体が当該エアバッグ１１からずれてしまうようなことなく全ての乗員Ｐ１〜Ｐ４が確実に保護される。
ここで、第３実施形態のエアバッグ装置１０Ｂは、前部座席から後部座席に至る長さで長尺に設定されているが、前部座席と後部座席とにそれぞれ配設されるよう、前部と後部との二つに分割されて、それぞれに配置されていてもよいことは明らかである【００４９】
本発明はその趣旨を逸脱しない範囲において様々な形態で実施することができる。例えば、エアバッグの形状は上記実施形態に限定されるものではない。例えば、膨張時のエアバッグの車幅方向の幅Ｗ１（図１参照）は、図示例に限られず、隣接するシート２０Ｒ，２０Ｌの間隔Ｄ程度にしてもよい。このように膨張したエアバッグが車幅方向に厚い場合には、車幅方向に並んだ二つのシート２０Ｒ，２０Ｌの内、一方のシートに本発明のエアバッグ装置を装着することで、左右の乗員保護用として利用できる。また、本発明は、シートごとに装備されてもよいことは勿論である。【００５０】
エアバッグ装置の格納場所は上記説明例に限定されるものではなく、エアバッグ装置は、インストルメントパネルの内側、フロアに設置したコンソール内部、リアシート後方のパッケージトレイの下側などの位置に格納してもよい。また、エアバッグの展開方向も上記した実施形態に限るものではなく、上下方向に限らず、車両後方から車両前方へ向けて、或いは車両前方から車両後方へ向けて展開するものでもよい。この場合、エアバッグの展開方向におけるエアバッグの先端部を車室内装に当てるようにし、当該先端部が車室内装から十分な摩擦を受けるように膨らみ代を有する。【００５１】
例えば、上記第１実施形態では、エアバッグ装置がシートバックに格納されていて、車両下方側から車両上方側へ向けて展開して、エアバッグの上端部の膨らみ代が天井に当たる構成を例示したが、例えばエアバッグ装置をインストルメントパネルの内側に設けて、エアバッグを車両前方側から車両後方側へ向けて膨脹させるとともに、車両上方へ向けても膨脹させ、エアバッグの上端部に膨らみ代を設けることで、当該上端部が天井に当たるように構成することもできる。【００５２】
第１実施形態と同様にエアバッグ装置をフロントシートのシートクッションに設けて、エアバッグを車両後方側から車両前方側へ向けて膨脹させ、その膨脹方向におけるエアバッグの先端部に膨らみ代を有し、当該エアバッグの先端部をインストルメントパネル及び／又はフロントガラスに当てるように構成してもよい。【００５３】
２列目や３列目のリアシートに着座した乗員の側面衝突時における衝突側への移動を規制する場合に、車幅方向に並んだシート間で展開するエアバッグは、その一部を前側のシートのシートバック背面に当たるように構成してもよい。【００５４】
また、上記第３実施形態では、エアバッグが天井からフロア側へ、即ち車両上方側から車両下方側へ向けて膨脹する場合を説明したが、エアバッグ装置をフロアに設置したコンソールに配設して、エアバッグを車両下方側から車両上方側へ、即ちフロア側から天井側へ向けて膨脹するように構成してもよい。この場合、エアバッグ膨脹時にエアバッグの上端を天井に当接させ、好ましくは、エアバッグ上端部に膨らみ代を設ける。【００５５】
エアバッグにおける車室内装との当接部分や車室内装におけるエアバッグとの当接部分は、他の部分と比較して、表面の摩擦係数が高くなるように構成したり、他の部分に比較して剛性を上げるように構成してもよい。このような摩擦係数や剛性を高くすることは、エアバッグ側及び車室内装側の一方又は両方に適用してもよい。【００５６】
エアバッグ装置のシートや天井等への取付構造は、上記に説明した例に限らず、従来公知のシートに搭載されるエアバッグ装置の取り付け構成、例えば特開２０００−１３５９６１号公報、特開２００１−１７１４６８号公報などに開示の構成を採用してもよい。【００５７】
上述した第３実施形態においては、主としてそれぞれ二つの並んだシートからなる前席及び後席の二列シートの自動車の場合について、左右の乗員の間を前後のシートに亘ってエアバッグ１１を膨張させる場合について説明したが、これに限らず、三列等の複数列のシートを備える場合については各列の座席をカバーするように、また三人以上の乗員が横に並んで着座するようなベンチシートまたは三つ以上の座席が左右に密着して並んで配置されている場合には、各着座位置または各座席の間の領域にそれぞれ膨張するようなエアバッグを備えるように構成することができる。
【図１】
2009035114.tif 000003
【図２】
2009035114.tif 000004
【図３】
2009035114.tif 000005
【図４】
2009035114.tif 000006
【図５】
2009035114.tif 000007
【図６】
2009035114.tif 000008
【図７】
2009035114.tif 000009
【図８】
2009035114.tif 000010
【図９】
2009035114.tif 000011
【図１０】
2009035114.tif 000012
【手続補正書】
【提出日】平成21年7月14日(2009.7.14)
【手続補正１】
【補正対象書類名】特許請求の範囲
【補正対象項目名】全文
【補正方法】変更
【補正の内容】
【特許請求の範囲】
【請求項１】
車幅方向に並んだ二つのシート間で膨脹して乗員を保護するエアバッグ装置であって、
インフレータと折り畳まれたエアバッグとを備え、
上記インフレータと上記エアバッグとが、シートバックにおける車幅方向内側に備えられていて、
上記エアバッグは、上記インフレータからガス噴射によって膨脹した際に上端が天井に当たるように構成されており、
側面衝突時に上記インフレータからガスが噴射されると上記エアバッグは膨脹して天井に当たることで、上記エアバッグに乗員の身体が当たった際の当該エアバッグの移動が抑制される、エアバッグ装置。
【請求項２】
（削除）
【請求項３】
（削除）
【請求項４】
前記エアバッグは、前記天井よりも高い位置まで膨脹できるように上端に膨らみ代を有する、請求項１に記載のエアバッグ装置。
【請求項５】
シートバックがリクライニング状態に設定されていても、前記エアバッグが膨脹した際に前記天井に当たるように前記上端に膨らみ代を有する、請求項１に記載のエアバッグ装置。
【請求項６】
前記シートがいずれの前後位置に設定されていても、前記エアバッグが膨脹した際に天井に当たるように前記上端に膨らみ代を有する、請求項１に記載のエアバッグ装置。
【請求項７】
（削除）
【請求項８】
（削除）
【請求項９】
（削除）
【請求項１０】
（削除）
【請求項１１】
（削除）
【請求項１２】
（削除）
【請求項１３】
（削除）
【請求項１４】
車幅方向に並んだ二つのシートの間で膨脹して乗員を保護するエアバッグ装置であって、
インフレータと折り畳まれたエアバッグとを備え、
上記インフレータ及び上記エアバッグがシート座面よりも高い位置に格納されており、
側面衝突時に上記インフレータからガスが噴射されると上記エアバッグが膨脹して天井に当たることで、上記エアバッグに乗員の身体が当たった際の当該エアバッグの移動が抑制される、エアバッグ装置。
【国際調査報告】
2009035114.tif 000013
2009035114.tif 000014
2009035114.tif 000015
2009035114.tif 000016
2009035114.tif 000017
2009035114.tif 000018